(57)【要約】      （修正有）【課題】梯子使用者によるビニールハウスのシート展張作業等の各種作業を容易に能率良く行うことができ、又、不使用時には、コンパクトに収納することができるビニールハウス用梯子を提供する。【解決手段】ビニールハウスのシート展張作業等に用いられる梯子１であって、ビニールハウスの側面に近接して立設され、ビニールハウスの側面に可及的に沿った形状の主梯子部材２と、主梯子部材の上部に起倒折曲自在に連結され、ビニールハウスの屋根面に可及的に沿う副梯子部材３とからなる。【選択図】図１
0003161887.tif 000002
【実用新案登録請求の範囲】
【請求項１】
ビニールハウスのシート展張作業等に用いられる梯子であって、上記ビニールハウスの側面に近接して立設され、該ビニールハウスの側面に可及的に沿った形状の主梯子部材と、該主梯子部材の上部に起倒折曲自在に連結され、該ビニールハウスの屋根面に可及的に沿う副梯子部材とからなることを特徴とするビニールハウス用梯子。
【請求項２】
上記主梯子部材の下部に伸縮調節可能な補助脚を設けてなることを特徴とする請求項１記載のビニールハウス用梯子。
【請求項３】
上記主梯子部材と上記副梯子部材との間に該副梯子部材を該主梯子部材に起倒折曲自在に固定可能な固定機構を設けてなることを特徴とする請求項１又は２記載のビニールハウス用梯子。
【請求項４】
上記主梯子部材及び上記副梯子部材に上記ビニールハウスに当接可能な当接部材を設けてなることを特徴とする請求項１〜３のいずれか１項に記載のビニールハウス用梯子。
【請求項５】
上記当接部材に緩衝材を設けてなることを特徴とする請求項４記載のビニールハウス用梯子。
【考案の詳細な説明】
【技術分野】
【０００１】
本考案は、農業用ビニールハウス等のシート展張作業等に用いられる梯子に関するものである。
【背景技術】
【０００２】
従来、この種の梯子として、左右一対の縦杆間に桟杆を上下多段状に架設してなる構造のものが知られている。
【先行技術文献】
【特許文献】
【０００３】
【特許文献１】実用新案登録第３１３２３０２号
【特許文献２】特開２００３−２３８７７
【考案の概要】
【考案が解決しようとする課題】
【０００４】
しかしながらこれら従来構造の場合、上記縦杆が直線状に延びる構造の梯子であるから、ビニールハウスのアーチ状の屋根面におけるシート展張作業や修正作業などの各種作業に使用する際、梯子使用者と屋根面との間が離間し、各種作業の効率が低下することがあるという不都合を有している。
【課題を解決するための手段】
【０００５】
本考案はこのような不都合を解決することを目的とするもので、本考案のうち、請求項１記載の考案は、ビニールハウスのシート展張作業等に用いられる梯子であって、上記ビニールハウスの側面に近接して立設され、該ビニールハウスの側面に可及的に沿った形状の主梯子部材と、該主梯子部材の上部に起倒折曲自在に連結され、該ビニールハウスの屋根面に可及的に沿う副梯子部材とからなることを特徴とするビニールハウス用梯子にある。
【０００６】
又、請求項２記載の考案は、上記主梯子部材の下部に伸縮調節可能な補助脚を設けてなることを特徴とするものであり、又、請求項３記載の考案は、上記主梯子部材と上記副梯子部材との間に該副梯子部材を該主梯子部材に起倒折曲自在に固定可能な固定機構を設けてなることを特徴とするものであり、又、請求項４記載の考案は、上記主梯子部材及び上記副梯子部材に上記ビニールハウスに当接可能な当接部材を設けてなることを特徴とするものであり、又、請求項５記載の考案は、上記当接部材に緩衝材を設けてなることを特徴とするものである。
【考案の効果】
【０００７】
本考案は上述の如く、請求項１記載の考案にあっては、ビニールハウスのシート展張作業等において、梯子の主梯子部材をビニールハウスの側面に近接して立設し、主梯子部材はビニールハウスの側面に可及的に沿って配置され、副梯子部材をビニールハウスの屋根面に可及的に沿うべく起倒折曲することにより、梯子使用者によるビニールハウスのシート展張作業等の各種作業を容易に能率良く行うことができ、又、不使用時の収納保管に際しては、主梯子部材に対して副梯子部材を折曲することによりコンパクトに収納することができる。
【０００８】
又、請求項２記載の考案にあっては、上記主梯子部材の下部に伸縮調節可能な補助脚を設けてなるから、補助脚の伸縮によりビニールハウスの高さや地面の状況に対応することができ、又、請求項３記載の考案にあっては、上記主梯子部材と上記副梯子部材との間に副梯子部材を主梯子部材に起倒折曲自在に固定可能な固定機構を設けてなるから、ビニールハウスの高さやアーチ形状に対応することができ、又、請求項４記載の考案にあっては、上記主梯子部材及び上記副梯子部材に上記ビニールハウスに当接可能な当接部材を設けているから、主梯子部材及び副梯子部材からなる梯子を安定的に起立設置することができ、作業の安全性を高めることができ、又、請求項５記載の考案にあっては、上記当接部材に緩衝材を設けてなるから、ビニールハウスのシートの損傷を防ぐことができる。
【図面の簡単な説明】
【０００９】
【図１】本考案の実施の形態例の全体斜視図である。
【図２】本考案の実施の形態例の部分斜視図である。
【図３】本考案の実施の形態例の部分拡大斜視図である。
【図４】本考案の実施の形態例の部分拡大断面図である。
【図５】本考案の実施の形態例の部分斜視図である。
【図６】本考案の実施の形態例の部分断面図である。
【図７】本考案の実施の形態例の使用状態図である。
【図８】本考案の実施の形態例の拡大使用状態図である。
【図９】本考案の実施の形態例の部分拡大平面図である。
【図１０】本考案の実施の形態例の斜視図である。
【考案を実施するための形態】
【００１０】
図１乃至図１０は本考案の実施の形態例を示し、Ｗはビニールハウスであって、この場合、複数個の並列状に立設されるアーチ状の骨組杆Ｋ１・Ｋ１・・からなる骨組構造体Ｋ及び骨組構造体Ｋを覆うシートＳからなり、花や野菜の促成栽培に用いられる構造となっている。
【００１１】
１は梯子であって、この場合、軽量なアルミニウム材により形成され、図１の如く、上記ビニールハウスＷの側面に近接して立設され、ビニールハウスＷの側面Ｗ１に可及的に沿った形状の主梯子部材２と、主梯子部材２の上部に起倒折曲自在に連結され、ビニールハウスＷの屋根面Ｗ２に可及的に沿う副梯子部材３とから構成されている。
【００１２】
この場合、主梯子部材２及び副梯子部材３はそれぞれ左右一対の縦杆２ａ・３ａ間に桟杆２ｂ・３ｂを上下多段状に架設してなり、かつ、縦杆２ａ・３ａに手摺杆２ｃ・３ｃを設けた構造としている。
【００１３】
この場合、上記主梯子部材２と上記副梯子部材３との間に副梯子部材３を主梯子部材２に起倒折曲自在に固定可能な固定機構４が設けられ、この固定機構４として、図２、図３、図４の如く、主梯子部材２及び副梯子部材３の左右の縦杆２ａ・２ａ、３ａ・３ａの上端部に連結部材４ａ・４ｂをそれぞれ設け、連結部材４ａ・４ｂの対向間に相互に係止可能なラチェット面４ｃ・４ｄを形成し、連結部材４ａ・４ｂに調節ボルト４ｅ・４ｅを挿通すると共に調節ボルト４ｅ・４ｅにナット４ｆ・４ｆを螺着して構成され、調節ボルト４ｅ・４ｅを回転中心として主梯子部材２に副梯子部材３を倒伏折曲自在に設けると共に調節ボルト４ｅ・４ｅの締付又は弛緩回動により主梯子部材２に副梯子部材３を調節固定自在に構成している。
【００１４】
５・５は補助脚であって、この場合、図５、図６の如く、上記主梯子部材２の左右一対の縦杆２ａ・２ａに上板５ａ、下板５ｂ及び側板５ｃからなるコ状枠５ｄを固定し、コ状枠５ｄ・５ｄの上板５ａ及び下板５ｂに杆状の補助脚５・５を挿通可能な嵌挿穴５ｅ・５ｅを形成すると共にコ状枠５ｄ・５ｄの上板５ａと下板５ｂ間に補助脚５・５が挿通可能な係止穴５ｆをもつ係止板５ｇを配置し、側板５ｃに係止板５ｇの一方側部に当接可能な当接部材５ｈを設け、下板５ｂと係止板５ｇとの間に係止用バネｉを架設し、補助脚５の下端部に地面に突き刺し可能な係止凸部５ｊが形成され、補助脚５の下方への引っ張り動作により自由下方移動を可能とし、補助脚５の上方への移動時には当接部材５ｈと係止板５ｇとの当接による係止穴５ｆの周縁と補助脚５の外周面との楔作用により移動を阻止するように構成され、係止板５ｇを押圧して係止穴５ｆの周縁と補助脚５の外周面との楔作用を解除した状態で補助脚５の上方自由移動を可能して、補助脚５の伸縮を可能とする構造となっている。
【００１５】
６は当接部材であって、上記主梯子部材２の上部及び上記副梯子部材３上部に上記ビニールハウスＷに当接可能に設けられ、この場合、図１、図９の如く、各縦杆２ａ・３ａに交差状に固定され、当接部材６の外周面にスポンジ材やゴム材等の緩衝材７を設けている。
【００１６】
この実施の形態例は上記構成であるから、ビニールハウスＷのシート展張作業等において、図７、図８の如く、梯子１の主梯子部材２をビニールハウスＷの側面Ｗ１に近接して立設し、主梯子部材２はビニールハウスの側面に可及的に沿っって配置され、副梯子部材３をビニールハウスＷの屋根面に可及的に沿うべく起倒折曲することにより、梯子使用者によるビニールハウスＷのシート展張作業等の各種作業を容易に能率良く行うことができ、又、図１０の如く、不使用時の収納保管に際しては、主梯子部材２に対して副梯子部材３を折曲することによりコンパクトに収納することができる。
【００１７】
この場合、上記主梯子部材２の下部に伸縮調節可能な補助脚５を設けてなるから、補助脚５の伸縮によりビニールハウスＷの高さや地面の状況に対応することができ、又、この場合、上記主梯子部材２と上記副梯子部材３との間に副梯子部材３を主梯子部材２に起倒折曲自在に固定可能な固定機構４を設けてなるから、ビニールハウスＷの高さやアーチ形状に対応することができ、又、この場合、上記主梯子部材２及び上記副梯子部材３に上記ビニールハウスＷに当接可能な当接部材６を設けているから、主梯子部材２及び副梯子部材３からなる梯子１を安定的に起立設置することができ、作業の安全性を高めることができ、又、この場合、上記当接部材６に緩衝材７を設けてなるから、ビニールハウスＷのシートＳの損傷を防ぐことができる。
【００１８】
尚、本考案は上記の形態例に限られるものではなく、主梯子部材２、副梯子部材３の形態や構造、固定機構４の構造等は適宜変更して設計されるものである。
【００１９】
以上の如く、所期の目的を充分達成することができる。
【符号の説明】
【００２０】
Ｗ    ビニールハウス
Ｗ１    側面
Ｗ２    屋根面
１    梯子
２    主梯子部材
３    副梯子部材
４    固定機構
５    補助脚
６    当接部材
７    緩衝材
【図１】
0003161887.tif 000003
【図２】
0003161887.tif 000004
【図３】
0003161887.tif 000005
【図４】
0003161887.tif 000006
【図５】
0003161887.tif 000007
【図６】
0003161887.tif 000008
【図７】
0003161887.tif 000009
【図８】
0003161887.tif 000010
【図９】
0003161887.tif 000011
【図１０】
0003161887.tif 000012